(57)【要約】【課題】  特に使用者の需要に応じてフィルムを自由に増減したり、交換することができるレンズユニットを提供する。【解決手段】    本発明の交換式レンズユニットは、前部リムと、押圧リングと、後部リムと、介在リムと、を有し、該押圧リングは、着脱可能に前部リムの内部に設置され、該押圧リングと前部リムとの間にフィルムを選択可能に装着し、該後部リムが前部リムの後側に間隔をおいて配置され、該介在リムは、前部リムと後部リムとの間に配列され、また、着脱可能に前部リムの外周面に環装されると共に、着脱可能に後部リムの内周面に装着され、該介在リムと前部リムとの間にフィルムを選択可能に装着し、それによれば、使用者が実際の需要に応じて、フィルムを自由に増減したり交換することができると共に、フィルムの間隔距離も短縮してレンズユニット全体の体積を縮小できる。【選択図】        図１
2018025733.tif 000002
【特許請求の範囲】
【請求項１】
後端に連接部が軸方向に設けられ、該連接部の後端の内周面に凸縁が径方向に設けられる、前部リムと、
前記前部リムの連接部に着脱可能に設置され、該前部リムの凸縁との間にフィルムが選択可能に装着される押圧リングと、
前記前部リムの後側に間隔をおいて配置され、後端に位置決め部が設けられる後部リムと、
前記前部リムと後部リムとの間に配列され、肩部と、環装部と、貫設部を備え、該肩部は、軸方向に延設されると共に、外周縁及び内周縁を備え、該環装部は、肩部の外周縁から前部リムに向かうように軸方向に延設され、且つ着脱可能に前部リムの外周面に環装され、該貫設部は、肩部の内周縁から後部リムに向かうように軸方向に延設され、且つ着脱可能に後部リムの内周面に装着されると共に、接着端及び延出端を備え、該接着端が肩部の内周縁に接着され、該接着端と前部リムの凸縁との間にフィルムが選択可能に装着される介在リムと、を有することを特徴とする交換式レンズユニット。
【請求項２】
前記前部リムが凹凸対応構造によって介在リムの環装部に装着されると共に、前記後部リムが凹凸対応構造によって介在リムの貫設部に装着されることを特徴とする請求項１に記載の交換式レンズユニット。
【請求項３】
前記前部リムの連接部の外周面に第一嵌合凹部が凹設されると共に、前記介在リムの環装部の内周面に第一嵌合凸部が凸設され、前記前部リムの第一嵌合凹部に、隣り合う介在リムの嵌合凸部が嵌め込まれ、
前記介在リムの貫設部の外周面に第二嵌合凹部が凹設され、
前記後部リムの位置決め部の内周面に第二嵌合凸部が凸設され、前記後部リムの第二嵌合凸部が介在リムの第二嵌合凹部に嵌め込まれることを特徴とする請求項２に記載の交換式レンズユニット。
【請求項４】
前記前部リムの内周面に内ネジ山が形成され、
前記押圧リングが内ネジ山を介して前部リムの連接部に設置され、
前記位置決め部の外周面に外ネジ山が形成されることを特徴とする請求項３に記載の交換式レンズユニット。
【請求項５】
後端に連接部が軸方向に設けられ、該連接部の後端の内周面に凸縁が径方向に設けられる、前部リムと、
前記前部リムの連接部に着脱可能に設置され、該前部リムの凸縁との間にフィルムが選択可能に設置される押圧リングと、
前記前部リムの後側に間隔をおいて配置され、後端に位置決め部２１が設けられる、後部リムと、
前記前部リムと後部リムの間にそれぞれ間隔をおいて配列され、軸方向に延設され、外周縁及び内周縁を備える肩部と、該肩部の外周縁から前部リムに向かうように軸方向に延設される環装部と、該肩部の内周縁から後部リムに向かうように軸方向に延設され、接着端及び延出端を備え、該接着端が肩部の内周縁に接着される貫設部を備え、また、前記前部リムと隣接する一方が、環装部を介して着脱可能に、隣接する前部リムの外周面に環装され、接着端と前部リムの凸縁との間にフィルムが選択可能に設置され、前記後部リムと隣接する他方が、貫設部を介して着脱可能に、後部リムの内周面に設置される、複数の介在リムと、
隣り合う２つの介在リムの間に着脱可能に設置され、その内周面に止め凸縁が径方向に設けられ、その外周面に、前記後部リム側に位置する介在リムが環装部を介して環装され、その内周面に、前部リム側に位置する介在リムが貫設部を介して装着され、該止め凸縁と後部リム側の介在リムの貫設部の接着端との間にフィルムが選択可能に設置され、該止め凸縁と前部リム側の介在リムの貫設部の周縁端面との間にフィルムが選択可能に設置される、内部リムとを有することを特徴とする交換式レンズユニット。
【請求項６】
前記前部リムが凹凸対応構造によって隣接する介在リムの環装部に設置され、
前記後部リムが凹凸対応構造によって隣接する介在リムの貫設部に設置され、
前記内部リムが凹凸対応構造によって、一方の隣接する介在リムの環装部及び、他方の隣接する介在リムの貫設部に取り付けられることを特徴とする請求項５に記載の交換式レンズユニット。
【請求項７】
前記前部リムの連接部の外周面に第一嵌合凹部が凹設され、
前記介在リムの環装部の内周面に第一嵌合凸部が凸設され、前記前部リムの第一嵌合凹部に隣り合う介在リムの嵌合凸部が嵌め込まれ、
前記介在リムの貫設部の外周面に第二嵌合凹部が凹設され、
前記後部リムの位置決め部の内周面に第二嵌合凸部が凸設され、前記後部リムの第二嵌合凸部が隣り合う介在リムの第二嵌合凹部に嵌め込まれ、
前記内部リムの外周面に第三嵌合凹部が凹設され、該内部リムの内周面に第三嵌合凸部が凸設され、該内部リムの第三嵌合凹部に後部リム側の介在リムの第一嵌合凸部が嵌め込まれ、該内部リムの第三嵌合凸部が前部リム側の介在リムの第二嵌合凹部に嵌め込まれることを特徴とする請求項６記載の交換式レンズユニット。
【請求項８】
前記前部リムの内周面に内ネジ山が形成され、該内ネジ山を介して押圧リングが前部リムの連接部に設置され、
前記位置決め部の外周面に外ネジ山が形成されることを特徴とする請求項７記載の交換式レンズユニット。
【発明の詳細な説明】
【技術分野】
【０００１】
本発明は、特に使用者の需要に応じてフィルムを自由に増減したり、交換することができるレンズユニットに関するものである。
【背景技術】
【０００２】
一眼レフカメラを用いて様々な写真を撮影するためには、レンズユニットに偏光フィルターや、紫外線カット（ＵＶ）フィルター、減光（ＮＤ）フィルターなど、様々なタイプのフィルムを付け替えたり、また、カメラのレンズユニットを保護するために、保護フィルムを装着する必要がある。
【０００３】
既存のレンズユニットは、複数のフィルムが設置され、それぞれのフィルムの外周縁にリムが設けられ、それぞれのフィルムがリムを介して連接リムに組み合わせられる。既存のレンズユニットをカメラに装着する時、複数のフィルムのうちのカメラ側のフィルムのリムにさらに、装着リムが取り付けられ、該装着リムによって、連接リムに組み合わせられたすべてのフィルムをカメラに設置する。そのため、使用者は、実際の需要に応じて一眼レフカメラに所望のフィルムを自由に設置、交換できるので、タイプが異なるフィルムを用いれば、様々な写真を撮影することができる。
【先行技術文献】
【特許文献】
【０００４】
【特許文献１】台湾実用新案第Ｍ４３６８５２号
【特許文献２】台湾実用新案第Ｍ５２５４６６号
【特許文献３】台湾特許第Ｉ５０５０１２号
【発明の概要】
【発明が解決しようとする課題】
【０００５】
しかしながら、既存のレンズユニットは、複数のフィルムを組み立てることはできるが、設置可能な枚数が決まっているため、実際の需要に応じて自由に増減したり、所望のフィルムを交換したりすることができなく、また、既存のレンズユニットでは、各フィルムにそれぞれリムが設けられると共に、連接リムまたは装着リムを介して組み合わせる必要があることから、レンズユニットの構成が複雑で体積も大きくなるので、改良する必要があった。
【課題を解決するための手段】
【０００６】
本発明の交換式レンズユニットは、
後端に連接部が軸方向に設けられ、該連接部の後端の内周面に凸縁が径方向に設けられる、前部リムと、
前記前部リムの連接部に着脱可能に設置され、該前部リムの凸縁との間にフィルムが選択可能に装着される押圧リングと、
前記前部リムの後側に間隔をおいて配置され、後端に位置決め部が設けられる後部リムと、
前記前部リムと後部リムとの間に配列され、肩部と、環装部と、貫設部を備え、該肩部は、軸方向に延設されると共に、外周縁及び内周縁を備え、該環装部は、肩部の外周縁から前部リムに向かうように軸方向に延設され、且つ着脱可能に前部リムの外周面に環装され、該貫設部は、肩部の内周縁から後部リムに向かうように軸方向に延設され、且つ着脱可能に後部リムの内周面に装着されると共に、接着端及び延出端を備え、該接着端が肩部の内周縁に接着され、該接着端と前部リムの凸縁との間にフィルムが選択可能に装着される介在リムと、を有するものである。
【０００７】
かかる交換式レンズユニットにおいて、前部リムが凹凸対応構造によって介在リムの環装部に装着されると共に、前記後部リムが凹凸対応構造によって介在リムの貫設部に装着されることが好ましい。
【０００８】
かかる交換式レンズユニットにおいて、
前記前部リムの連接部の外周面に第一嵌合凹部が凹設されると共に、前記介在リムの環装部の内周面に第一嵌合凸部が凸設され、前記前部リムの第一嵌合凹部に、隣り合う介在リムの嵌合凸部が嵌め込まれ、
前記介在リムの貫設部の外周面に第二嵌合凹部が凹設され、
前記後部リムの位置決め部の内周面に第二嵌合凸部が凸設され、前記後部リムの第二嵌合凸部が介在リムの第二嵌合凹部に嵌め込まれることが好ましい。
【０００９】
かかる交換式レンズユニットにおいて、
前記前部リムの内周面に内ネジ山が形成され、
前記押圧リングが内ネジ山を介して前部リムの連接部に設置され、
前記位置決め部の外周面に外ネジ山が形成されることが好ましい。
【００１０】
一方、本発明の他の交換式レンズユニットは、
後端に連接部が軸方向に設けられ、該連接部の後端の内周面に凸縁が径方向に設けられる、前部リムと、
前記前部リムの連接部に着脱可能に設置され、該前部リムの凸縁との間にフィルムが選択可能に設置される押圧リングと、
前記前部リムの後側に間隔をおいて配置され、後端に位置決め部２１が設けられる、後部リムと、
前記前部リムと後部リムの間にそれぞれ間隔をおいて配列され、軸方向に延設され、外周縁及び内周縁を備える肩部と、該肩部の外周縁から前部リムに向かうように軸方向に延設される環装部と、該肩部の内周縁から後部リムに向かうように軸方向に延設され、接着端及び延出端を備え、該接着端が肩部の内周縁に接着される貫設部を備え、また、前記前部リムと隣接する一方が、環装部を介して着脱可能に、隣接する前部リムの外周面に環装され、接着端と前部リムの凸縁との間にフィルムが選択可能に設置され、前記後部リムと隣接する他方が、貫設部を介して着脱可能に、後部リムの内周面に設置される、複数の介在リムと、
隣り合う２つの介在リムの間に着脱可能に設置され、その内周面に止め凸縁が径方向に設けられ、その外周面に、前記後部リム側に位置する介在リムが環装部を介して環装され、その内周面に、前部リム側に位置する介在リムが貫設部を介して装着され、該止め凸縁と後部リム側の介在リムの貫設部の接着端との間にフィルムが選択可能に設置され、該止め凸縁と前部リム側の介在リムの貫設部の周縁端面との間にフィルムが選択可能に設置される、内部リムとを有するものである。
【００１１】
かかる交換式レンズユニットにおいて、
前記前部リムが凹凸対応構造によって隣接する介在リムの環装部に設置され、
前記後部リムが凹凸対応構造によって隣接する介在リムの貫設部に設置され、
前記内部リムが凹凸対応構造によって、一方の隣接する介在リムの環装部及び、他方の隣接する介在リムの貫設部に取り付けられることが好ましい。
【００１２】
かかる交換式レンズユニットにおいて、
前記前部リムの連接部の外周面に第一嵌合凹部が凹設され、
前記介在リムの環装部の内周面に第一嵌合凸部が凸設され、前記前部リムの第一嵌合凹部に隣り合う介在リムの嵌合凸部が嵌め込まれ、
前記介在リムの貫設部の外周面に第二嵌合凹部が凹設され、
前記後部リムの位置決め部の内周面に第二嵌合凸部が凸設され、前記後部リムの第二嵌合凸部が隣り合う介在リムの第二嵌合凹部に嵌め込まれ、
前記内部リムの外周面に第三嵌合凹部が凹設され、該内部リムの内周面に第三嵌合凸部が凸設され、該内部リムの第三嵌合凹部に後部リム側の介在リムの第一嵌合凸部が嵌め込まれ、該内部リムの第三嵌合凸部が前部リム側の介在リムの第二嵌合凹部に嵌め込まれることが好ましい。
【００１３】
かかる交換式レンズユニットにおいて、
前記前部リムの内周面に内ネジ山が形成され、該内ネジ山を介して押圧リングが前部リムの連接部に設置され、
前記位置決め部の外周面に外ネジ山が形成されることが好ましい。
【発明の効果】
【００１４】
本発明のレンズユニットは、前記の構造を有することから、複数枚のフィルムを狭い間隔で組み合わせられるので、レンズユニットの体積をより縮小でき、また、前部リム、押圧リング、介在リム、内部リム、後部リムはそれぞれ、着脱可能に組み合わされることから、実際の需要に応じて介在リム及び内部リムを自由に増減してフィルムの枚数を調整することができるので、所望のレンズユニットとすることができる。
【図面の簡単な説明】
【００１５】
【図１】本発明に係る交換式レンズユニットの斜視図である。
【図２】本発明に係る交換式レンズユニットの部分拡大断面図である。
【図３】本発明に係る交換式レンズユニットの分解斜視図である。
【図４】本発明に係る交換式レンズユニットの分解断面図である。
【図５】本発明に係る交換式レンズユニットの他の実施例の部分拡大断面図である。
【発明を実施するための形態】
【００１６】
図１及び図２に示すように、本発明に係る交換式レンズユニットは、前部リム１０と、押圧リング５０と、後部リム２０と、複数の介在リム３０と、少なくとも１つの内部リム４０を有する。
【００１７】
図３及び図４に示すように、前記前部リム１０は、連接部１１と、凸縁１２と、内ネジ山１４を備え、そのうち連接部１１は、前部リム１０の後端に軸方向に設けられ、該凸縁１２は、連接部１１の後端近傍の内周面に径方向に設けられ、該内ネジ山１４は、前部リム１０の前端近傍の内周面に形成される。また、前記前部リム１０の連接部１１の前端に、キャップが内ネジ山１４を介して設置されているので、塵埃の侵入を防げると共に、レンズユニットを保護することもできる。
【００１８】
前記押圧リング５０は、前部リム１０の連接部１１に着脱可能に設置されると共に、該押圧リング５０と前部リム１０の凸縁１２との間に選択可能にフィルム６０が設置される。尚、本実施例においては、押圧リング５０が内ネジ山１４の一部と螺合することによって、前部リム１０の連接部１１に設置される。
【００１９】
前記後部リム２０は、前部リム１０の後側に間隔をおいて配置されると共に、位置決め部２１及び外ネジ山２２を備え、そのうち位置決め部２１は、後部リム２０の後端に設けられ、該外ネジ山２２は、位置決め部２１の外周面に形成される。故に、レンズユニットは、前記外ネジ山２２を介してカメラと螺設することによって組み合わされる。
【００２０】
前記介在リム３０はそれぞれ、前部リム１０と後部リム２０の間に間隔をおいて配列され、該各介在リム３０は、肩部３１と、環装部３２と、貫設部３３を備え、そのうち肩部３１は、軸方向に延設され、外周縁及び内周縁を備え、該環装部３２は、肩部３１の外周縁から前部リム１０に向かうように軸方向に延設され、該貫設部３３は、肩部３１の内周縁から後部リム２０に向かうように軸方向に延設され、接着端及び延出端を備え、該接着端は肩部３１の内周縁に接着される。
【００２１】
更に、前記前部リム１０と隣接する介在リム３０は、環装部３２を介して着脱可能に前部リム１０の外周面に環装され、また、該介在リム３０の接着端と前部リム１０の凸縁１２との間にフィルム６０が選択可能に設置される。尚、回動時の摩擦を減少するために、該前部リム１０と介在リム３０との接触面に潤滑油が使用されることが好ましい。
また、本実施例においては、前部リム１０及び介在リム３０が、凹凸対応構造によって組み合わされ、すなわち、前記前部リム１０の連接部１１の外周面に第一嵌合凹部１３が凹設されると共に、該介在リム３０の環装部３２の内周面に第一嵌合凸部３４が凸設され、該前部リム１０の第一嵌合凹部１３に、隣り合う介在リム３０の嵌合凸部３４が嵌め込まれることによって、該介在リム３０が着脱可能に前部リム１０に組み合わされる。
【００２２】
前記後部リム２０と隣接する介在リム３０は、貫設部３３を介して後部リム２０の内周面に着脱可能に設置される。尚、回動時の摩擦を減少するために、該後部リム２０と介在リム３０との接触面に潤滑油が使用されることが好ましい。
また、本実施例における後部リム２０及び介在リム３０は、凹凸対応構造によって組み合わされ、すなわち、該介在リム３０の貫設部３３の外周面に第二嵌合凹部３５が凹設されると共に、前記後部リム２０の位置決め部２１の内周面に第二嵌合凸部２３が凸設され、該後部リム２０の第二嵌合凸部２３が、隣り合う介在リム３０の第二嵌合凹部３５に嵌め込まれることによって、該介在リム３０が着脱可能に前部リム１０に組み合わされる。
【００２３】
前記内部リム４０は、隣り合う２つの介在リム３０の間に着脱可能に設置され、その内周面における、後部リム２０側の周縁に止め凸縁４１が径方向に設けられ、また、該内部リム４０は、後部リム２０側の介在リム３０の環装部３２に貫設されると共に、前部リム１０側の介在リム３０の貫設部３３に環装される。尚、前記内部リム４０の止め凸縁４１と後部リム２０側の介在リム３０の貫設部３３の接着端との間にフィルム６０が選択可能に設置されてもよく、該内部リム止め凸縁４１と前部リム１０側の介在リム３０の貫設部３３の周縁端面との間にフィルム６０が選択可能に設置されてもよく、回動時の摩擦を減少するために、前記内部リム４０と介在リム３０との接触面に潤滑油を使用することが好ましい。
【００２４】
本実施例においては、前記内部リム４０と隣り合う介在リム３０とが、凹凸対応構造によって互いに組み合わされ、すなわち、該内部リム４０の外周面に第三嵌合凹部４２が凹設されると共に、該内部リム４０の内周面に第三嵌合凸部４３が凸設され、その内部リム４０の第三嵌合凹部４２に後部リム２０側の介在リム３０の第一嵌合凸部３４が嵌め込まれ、該内部リム４０の第三嵌合凸部４３が前部リム１０側の介在リム３０の第二嵌合凹部３５に嵌め込まれることによって、該内部リム４０を隣り合う２つの介在リム３０に着脱可能に設置する。
【００２５】
図２に示すように、本発明の実施例におおいては、前記前部リム１０と後部リム２０との間に２つの介在リム３０が設置されると共に、該２つの介在リム３０の間に内部リム４０が設置されることから、本発明のレンズユニットによれば、最大４枚のフィルム６０を設置することができる。
【００２６】
また、本発明のレンズユニットにおいて、前記前部リム１０と後部リム２０との間に１つの介在リム３０を設けた場合、最大２枚のフィルム６０を設置することができる。
【００２７】
さらに、前記前部リム１０、後部リム２０、介在リム３０、内部リム４０は、アルミニウム合金や、銅合金などの金属材質からなり、製造時に、前部リム１０に所望の幅を備えた第一嵌合凹部１３、介在リム３０に所望の幅を備えた第二嵌合凹部３５、内部リム４０に所望の幅を備えた第三嵌合凹部４２がそれぞれ形成され、また、金属の弾性により前部リム１０の第一嵌合凹部１３、介在リム３０の第二嵌合凹部３５、内部リム４０の第三嵌合凹部４２がわずかに弾性変形することから、前部リム１０、後部リム２０、介在リム３０、内部リム４０を組み立てる時、（特にきつくもなく、特に緩くもない状態）適当な嵌合程度で保持できると共に、着脱もし易い。
【００２８】
本発明のレンズユニットは、上述した構造を有することから、以下の効果を有する。つまり、それらのフィルム６０はそれぞれ、前部リム１０と押圧リング５０との間、前部リム１０と一方の介在リム３０との間、一方の介在リム３０と内部リム４０との間、内部リム４０と他方の介在リム３０との間に挟持されるように設置されることから、既存のフィルムのリムでの螺合構造を省略でき、また、それらのフィルム６０は間隔距離を短縮して配列できるので、レンズユニット全体の体積を縮小することができる。
また、その前部リム１０、押圧リング５０、介在リム３０、内部リム４０、後部リム２０はそれぞれ、着脱可能に組み立てられることから、実際の需要に応じて介在リム３０及び内部リム４０を自由に増減して、フィルム６０の枚数を調整することができるので、それぞれのニーズにより調整自在なレンズユニットを提供することができる。
【符号の説明】
【００２９】
１０  ：  前部リム
１１  ：  連接部
１２  ：  凸縁
１４  ：  内ネジ山
２０  ：  後部リム
２１  ：  位置決め部
２２  ：  外ネジ山
３０  ：  介在リム
３１  ：  肩部
３２  ：  環装部
３３  ：  貫設部
４０  ：  内部リム
５０  ：  押圧リング
【図１】
2018025733.tif 000003
【図２】
2018025733.tif 000004
【図３】
2018025733.tif 000005
【図４】
2018025733.tif 000006
【図５】
2018025733.tif 000007